(57)【要約】【課題】耐湿性が高く、かつ、波長変換効率に優れた蛍光体シートを提供する。【解決手段】この蛍光体シートは、第１の蛍光体層、および第１の蛍光体層の両面とそれぞれ接する一対の透明フィルムを含む積層構造と、この積層構造の端面から積層構造の周縁部に至るまでを一体に覆う封止層と、この封止層のうちの少なくとも積層構造の周縁部を覆う部分をさらに覆う第２の蛍光体層とを有する。【選択図】図２
2015015105.tif 000002
【特許請求の範囲】
【請求項１】
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する蛍光体シート。
【請求項２】
前記封止層と、前記第２の蛍光体層との間に光反射層を有する
請求項１記載の蛍光体シート。
【請求項３】
前記第１および第２の蛍光体層は、青色光の照射により白色光を発する
請求項１記載の蛍光体シート。
【請求項４】
前記第１の蛍光体層は、硫化物蛍光体を含み、
前記第２の蛍光体層は、ＹＡＧ（イットリウム−アルミニウム−ガーネット）系蛍光体を含む
請求項１記載の蛍光体シート。
【請求項５】
前記第２の蛍光体層は、前記封止層のうち、前記一対の透明フィルムのいずれか一方を覆う部分のみに設けられている
請求項１記載の蛍光体シート。
【請求項６】
前記一対の透明フィルムは、防湿性を有する樹脂からなる
請求項１記載の蛍光体シート。
【請求項７】
前記封止層は、アルミニウムからなる
請求項１記載の蛍光体シート。
【請求項８】
光源と、
互いに対向する第１および第２の主面と、前記第１の主面と前記第２の主面とを繋ぐと共に前記光源と対向する端面とを有する導光板と、
前記導光板の、前記第１の主面と対向する蛍光体シートと
を備え、
前記蛍光体シートは、
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する
発光装置。
【請求項９】
前記光源は、青色光を発する発光ダイオードを含み、
前記第１および第２の蛍光体層は、前記光源からの青色光の照射により白色光を発する
請求項８記載の発光装置。
【請求項１０】
前記導光板の、前記第２の主面と対向する反射部材をさらに備える
請求項８記載の発光装置。
【請求項１１】
液晶パネルと、前記液晶パネルの背面と対向して配置された発光装置とを備え、
前記発光装置は、
光源と、
互いに対向する第１および第２の主面と、前記第１の主面と前記第２の主面とを繋ぐと共に前記光源と対向する端面とを有する導光板と、
前記導光板の、前記第１の主面と対向する蛍光体シートと
を備え、
前記蛍光体シートは、
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する
表示装置。
【発明の詳細な説明】
【技術分野】
【０００１】
本開示は、光の照射により蛍光を発する蛍光体を含む蛍光体シート、ならびにこれを備えた発光装置および表示装置に関する。
【背景技術】
【０００２】
一般に、液晶ディスプレイでは、液晶パネルを背後から全面的に照射するバックライト光源が用いられる。近年、液晶ディスプレイの大型化、薄型化、軽量化もしくは長寿命化等に伴い、さらには点滅制御による動画特性改善の観点から、基板上に複数の発光ダイオード（ＬＥＤ：Light Emitting Diode）を配設して面発光を行う発光装置が注目されている。このような発光装置では、白色光を取り出すために、下記の手法が用いられている。
【０００３】
第１の手法は、Ｒ（赤），Ｇ（緑），およびＢ（青）の３色の光をそれぞれ発するＬＥＤを配設し、これらを同時点灯することにより３色の光を合成して白色光を得るものである。第２の手法は、例えば青色ＬＥＤを蛍光体含有樹脂により包囲し、青色光を白色光に色変換するというものである。この青色ＬＥＤを蛍光体含有樹脂により包囲した構造体は、白色ＬＥＤと呼ばれている。
【０００４】
さらに、これらに代わる第３の手法として、蛍光体含有樹脂をシート基材で挟み込んだものや、蛍光体含有樹脂をシート形状に加工した蛍光体含有シートを用いて、青色ＬＥＤにより色変換する手法も提案されている（例えば特許文献１参照）。また、蛍光体含有樹脂を２枚のガラス板で挟み込むといった構造も提案されている。
【先行技術文献】
【特許文献】
【０００５】
【特許文献１】特開２０１３−３２５１５号公報
【発明の概要】
【発明が解決しようとする課題】
【０００６】
しかしながら、蛍光体含有シートに水分が浸入すると、蛍光体の材質が変化し、所望の波長変換機能が得られない場合がある。また、最近では、表示装置における表示品質に対する要求が高まっており、輝度向上に加え色再現範囲の拡大も求められている。
【０００７】
本開示はかかる問題点に鑑みてなされたもので、その目的は、耐湿性が高く、かつ、波長変換効率に優れた蛍光体シートを提供することにある。本開示の第２の目的は、このような蛍光体シートを有することで、高い発光効率および高い発光色純度が得られる発光装置を提供することにある。さらに、本開示の第３の目的は、発光輝度が高く、かつ、広い色再現範囲を示す表示装置を提供することにある。
【課題を解決するための手段】
【０００８】
本開示の一実施形態としての蛍光体シートは、第１の蛍光体層、およびこの第１の蛍光体層の両面とそれぞれ接する一対の透明フィルムを含む積層構造と、この積層構造の端面から積層構造の周縁部に至るまでを一体に覆う封止層と、この封止層のうちの少なくとも積層構造の周縁部を覆う部分、をさらに覆う第２の蛍光体層とを有する。
【０００９】
また、本開示の一実施形態としての発光装置は、光源と、互いに対向する第１および第２の主面と、第１の主面と第２の主面とを繋ぐと共に光源と対向する端面とを有する導光板と、導光板の、第１の主面と対向する上記蛍光体シートとを備えるものである。
【００１０】
また、本開示の一実施形態としての表示装置は、液晶パネルと、その液晶パネルの背面と対向して配置された上記発光装置とを備えるものである。
【００１１】
本開示の一実施形態としての蛍光体シート、発光装置および表示装置では、第１の蛍光体層と一対の透明フィルムとの積層構造における端面および周縁部を、封止層によって一体に覆うようにしたので、第１の蛍光体層への水分浸入が防止される。さらに、封止層の少なくとも一部に第２の蛍光体層を設けるようにしたので、封止層に覆われた積層構造の周縁部においても入射光の波長変換を行うことができる。
【発明の効果】
【００１２】
本開示の一実施形態としての蛍光体シートによれば、第１の蛍光体層の劣化を防止しつつ、第２の蛍光体層をも利用して高効率で入射光の波長変換を行うことができる。また、上記蛍光体シートを採用した本開示の一実施形態としての発光装置によれば、高い発光効率および高い発光色純度が得られる。さらに、本開示の一実施形態としての表示装置によれば、発光輝度が高く、かつ、広い色再現範囲を有する優れた表示性能を発揮することができる。
【図面の簡単な説明】
【００１３】
【図１】本開示における第１の実施の形態に係る蛍光体シートを含む発光装置の全体構成例を表す斜視図である。
【図２】図１に示した発光装置の要部の構成を表す断面図である。
【図３】図１に示した第１の実施の形態に係る発光装置の変形例を表す断面図である。
【図４】本開示における第２の実施の形態に係る発光装置の構成を表す断面図である。
【図５】本開示の第４の実施の形態に係る表示装置の外観を表す斜視図である。
【図６】図５に示した本体部を分解して表す斜視図である。
【図７】図６に示したパネルモジュールを分解して表す斜視図である。
【図８Ａ】本開示の表示装置を搭載した電子ブック（適用例１）の外観を表す斜視図である。
【図８Ｂ】本開示の表示装置を搭載した他の電子ブック（適用例１）の外観を表す斜視図である。
【図９】本開示の表示装置を搭載したスマートフォン（適用例２）の外観を表す斜視図である。
【図１０Ａ】本開示の表示装置を搭載したデジタルカメラ（適用例３）の前方からの外観を表す斜視図である。
【図１０Ｂ】本開示の表示装置を搭載したデジタルカメラ（適用例３）の後方からの外観を表す斜視図である。
【図１１】本開示の表示装置を搭載したノート型パーソナルコンピュータ（適用例４）の外観を表す斜視図である。
【図１２】本開示の表示装置を搭載したビデオカメラ（適用例５）の外観を表す斜視図である。
【図１３Ａ】本開示の表示装置を搭載した携帯電話機（適用例６）の閉じた状態の外観を表す正面図、左側面図、右側面図、上面図および下面図である。
【図１３Ｂ】本開示の表示装置を搭載した携帯電話機（適用例６）の開いた状態の外観を表す正面図および側面図である。
【図１４】本開示の発光装置を備えた第１の照明装置（適用例７）の外観を表す斜視図である。
【図１５】本開示の発光装置を備えた第２の照明装置（適用例８）の外観を表す斜視図である。
【図１６】本開示の発光装置を備えた第３の照明装置（適用例９）の外観を表す斜視図である。
【発明を実施するための形態】
【００１４】
以下、本開示の実施の形態について図面を参照して詳細に説明する。なお、説明は以下の順序で行う。
１．第１の実施の形態
第１の蛍光体層を含む積層構造の周縁部を覆う封止層の上に第２の蛍光体層を設けた蛍光体シート、およびそれを備えた発光装置。
２．第２の実施の形態
第１の蛍光体層を含む積層構造の周縁部を覆う封止層の上に光反射層と第２の蛍光体層とを順に設けた蛍光体シート、およびそれを備えた発光装置。
３．第３の実施の形態
上記発光装置を備えた表示装置（液晶表示装置）
４．表示装置の適用例１〜６
５．照明装置の適用例７〜９
【００１５】
＜第１の実施の形態＞
［発光装置１の構成］
図１は、本開示の第１の実施の形態としての蛍光体シート１０を備えた発光装置１の全体構成を表したものである。図２は、発光装置１の要部断面を拡大して表すものである。発光装置１は、例えば、透過型の液晶パネルを背後から照明するバックライトとして、あるいは室内等において照明装置として用いられるものである。発光装置１は、筐体６０（図１では省略し、図２に示す。）の内部に、蛍光体シート１０のほか、光源２０、導光板３０、反射部材４０、および光学シート５０を有している。
【００１６】
本明細書では、光学シート５０，蛍光体シート１０，導光板３０および反射部材４０の積層方向をＺ方向（前後方向）とし、導光板３０の主面（最も広い面）において左右方向をＸ方向、上下方向をＹ方向とする。
【００１７】
蛍光体シート１０は、積層構造１１と、積層構造１１の端面１１Ｔから積層構造１１の周縁部１１Ｐに至るまでを一体に覆う額縁状の封止層１２とを有する。積層構造１１のうち封止層１２が設けられた周縁部１１Ｐは、光源２０から発振されたのち導光板３０を経た光が、積層構造１１を透過せずに遮られる遮光領域Ｒ２に位置する。一方、積層構造１１のうち封止層１２が設けられた領域以外の領域は、光源２０から発振され、導光板３０を経て積層構造１１に到達した光を波長変換して変換光として外部へ発する発光領域Ｒ１に対応する。
【００１８】
積層構造１１は、第１の蛍光体層１３、および第１の蛍光体層１３の両面とそれぞれ密着する一対の透明フィルム１４Ａ，１４Ｂを含む。  封止層１２のうち、少なくとも積層構造１１の周縁部１１Ｐを覆い、かつ導光板３０と対向する部分は、第２の蛍光体層１５によってさらに覆われている。なお、図２では、積層構造１１が３層構造の場合を例示しているが、積層構造１１は他の層をさらに含んでいてもよい。
【００１９】
第１の蛍光体層１３は、例えば青色発光素子の青色励起光を白色光に波長変換するものであり、樹脂組成物に粉末状の蛍光体を含有させたものである。蛍光体の粉末は、例えば数μｍ〜数十μｍの平均粒径を有するとよい。第１の蛍光体層１３の光散乱効果を向上させることができるからである。第１の蛍光体層１３に含まれる蛍光体としては、硫化物蛍光体が好ましい。より高い発光効率が得られ、かつ、より高い発光色純度が得られるからである。但し、酸化物蛍光体や、硫化物蛍光体と酸化物蛍光体との混合系の蛍光体も適用され得る。
【００２０】
硫化物蛍光体としては、青色励起光の照射により波長６２０〜６６０ｎｍの赤色蛍光ピークを有する硫化物蛍光体や、青色励起光の照射により波長５３０〜５５０ｎｍの緑色蛍光ピークを有する硫化物系蛍光体が挙げられる。具体的には、前者はＣａＳ：Ｅｕ（Ｃａｓが母体を示し、Ｅｕが付活剤を示す。以下同じ。）やＳｒＳ：Ｅｕが好ましく、後者はＳｒＧａ2Ｓ4：Ｅｕが好ましい。
【００２１】
酸化物蛍光体としては、青色励起光の照射により波長５９０〜６２０ｎｍの赤色蛍光を発する酸化物蛍光体、好ましくは（ＢａＳｒ）3ＳｉＯ5：Ｅｕ、（ＢａＳｒ）2ＳｉＯ4：Ｅｕ等を挙げることができる。
【００２２】
なお、上記の硫化物蛍光体および酸化物蛍光体以外の蛍光体も使用可能であり、例えば、（ＹＧｄ）2（ＡｌＧａ）5Ｏ12：ＣｅなどのＹＡＧ（イットリウム−アルミニウム−ガーネット）蛍光体、サイアロン蛍光体等を挙げることができる。
【００２３】
また、第１の蛍光体層１３は、単層構造であってもよいし多層構造であってもよい。第１の蛍光体層１３が単層構造である場合、青色励起光の照射により白色で発光させるため、以下の混合蛍光体を使用するとよい。その混合蛍光体とは、例えば青色励起光の照射により、波長６２０〜６６０ｎｍの光を発する硫化物蛍光体または波長５９０〜６２０ｎｍの光を発する酸化物蛍光体と、波長５３０〜５５０ｎｍの光を発する硫化物蛍光体とを含むものである。特に好ましい組み合わせは、赤色蛍光を発するＣａＳ：Ｅｕまたは（ＢａＳｒ）3ＳｉＯ5：Ｅｕと、緑色蛍光を発するＳｒＧａ2Ｓ4：Ｅｕとの混合蛍光体である。
【００２４】
また、第１の蛍光体層１３が例えば２層構造である場合、青色励起光の照射により白色で発光させるため、以下の第１の層と第２の層との積層構造とするとよい。具体的には、第１の層は、例えば青色励起光の照射により、波長６２０〜６６０ｎｍの光を発する硫化物蛍光体または波長５９０〜６２０ｎｍの光を発する酸化物蛍光体を含有するものとする。また、第２の層は、青色励起光の照射により波長５３０〜５５０ｎｍの光を発する硫化物蛍光体を含有するものとする。特に、赤色蛍光を発するＣａＳ：Ｅｕまたは（ＢａＳｒ）3ＳｉＯ5：Ｅｕを含有する蛍光体層と、緑色蛍光を発するＳｒＧａ2Ｓ4：Ｅｕを含有する蛍光体層との２層構造が好ましい。
【００２５】
第１の蛍光体層１３を構成する樹脂組成物には、ポリオレフィン共重合体や光硬化性（メタ）アクリル樹脂などが用いられる。また、この樹脂組成物には、必要に応じて他の光透過性樹脂や着色顔料、溶媒等を配合してもよい。
【００２６】
一対の透明フィルム１４Ａ，１４Ｂは、例えばＰＥＴ（ポリエチレンテレフタレート）などの防湿性を有する透明樹脂からなる。透明フィルム１４Ａ，１４Ｂは、例えば熱圧着により隙間無く第１の蛍光体層１３と密着している。
【００２７】
封止層１２は、防湿性に優れた材料からなり、例えばアルミニウムなどからなる金属テープが挙げられる。
【００２８】
第２の蛍光体層１５は、第１の蛍光体層１３と同様に、青色発光素子の青色励起光を白色光に波長変換する機能を有する。第２の蛍光体層１５は、水分による劣化や変質の生じにくい、上述のＹＡＧ系蛍光体を含む材料によって構成される。本実施の形態では、第２の蛍光体層１５は、封止層１２のうち、透明フィルム１４Ｂを覆う部分のみに選択的に設けられている。但し、図３に示した本実施の形態の変形例としての蛍光体シート１０Ａを備えた発光装置１Ａのように、封止層１２の全面を覆うように第２の蛍光体層１５を設けてもよい。
【００２９】
光源２０は、例えば青色光を発するＬＥＤ（Light Emitting Diode；発光ダイオード）により構成された点光源であり、例えばＹ方向に沿って複数設けられている。各々の光源２０は、例えば、パッケージ２１（図１には図示せず、図２参照。）内に封止されると共に筐体６０に実装されており、Ｘ方向において導光板３０の光入射面３０Ａ（図１では、例えば左右の端面）と対向して配置されている。複数のパッケージ２１はＹ方向に沿って一列に並べられており、その並び方向（Ｙ方向）を長手方向とする直方体形状をそれぞれ有している。
【００３０】
導光板３０は、例えば、前後方向（Ｚ方向）に対向する一対の主面（表面および裏面）と、これらの４辺同士を繋ぐ４つの端面（側面）とからなる直方体形状の部材である。ここでは、４つの端面のうちの少なくとも１つが光源２０と対向する光入射面３０Ａとなっている。なお、４つの端面の全てを光入射面３０Ａとしてもよいし、４つの端面のうちの任意の２つもしくは３つを光入射面３０Ａとしてもよい。
【００３１】
また、導光板３０における主面のうちの表面が光出射面３０Ｂであると共に裏面が光出射面３０Ｄとなっている。光出射面３０Ｂと光出射面３０Ｄとは互いに平行であることが望ましい。導光板３０は、光源２０からの光を光入射面３０Ａから光出射面３０Ｂへと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。導光板３０の光出射面３０Ｂ（表面）および光出射面３０Ｄ（裏面）は、例えば、導光板３０の光出射面３０Ｂと対向して配置される被照射物（例えば後述の液晶パネル１２２）に対応した平面形状を有している。導光板３０の光出射面３０Ｂ（表面）には、導光板３０内を伝播する光の直進性を向上させるために、例えば、微細な凸部３０Ｃよりなる凹凸パターンが設けられているとよい。凸部３０Ｃは、例えば、光出射面３０Ｂの一方向（例えば左右方向）に延在する帯状の突条または畝である。光出射面３０Ｂは、透明フィルム１４Ｂや第２の蛍光体層１５と離間して対向している。導光板３０の光出射面３０Ｄ（裏面）には、導光板３０内を伝播する光を散乱し、均一化させる散乱部として、例えば、散乱剤がパターン状に印刷されている。なお、散乱部としては、散乱剤に代えて、フィラーを含んだ部位を設けるほか、表面を部分的に粗面にすることも可能である。
【００３２】
反射部材４０は、導光板３０の光出射面３０Ｄ（裏面）と対向して設けられた板状またはシート状部材であり、光源２０から導光板３０へ入射したのち光出射面３０Ｄから漏れ出てきた光、または導光板３０の内部から光出射面３０Ｄを透過して出射された光を、導光板３０へ向けて戻すものである。反射部材４０は、例えば、反射、拡散、散乱などの機能を有しており、これにより光源２０からの光を効率的に利用し、正面輝度を高めることが可能となっている。
【００３３】
反射部材４０は、例えば、発泡ＰＥＴ（ポリエチレンテレフタレート），銀蒸着フィルム，多層膜反射フィルム，または白色ＰＥＴにより構成されている。反射部材４０に正反射（鏡面反射）の機能を持たせる場合には、反射部材４０の表面は、銀蒸着，アルミニウム蒸着，または多層膜反射などの処理がなされたものであることが好ましい。反射部材４０に微細形状を付与する場合は、反射部材４０は、熱可塑性樹脂を用いた熱プレス成型，または溶融押し出し成型などの手法で一体的に形成されていてもよいし、また、例えばＰＥＴなどからなる基材上にエネルギー線（たとえば紫外線）硬化樹脂を塗布したのち、そのエネルギー線硬化樹脂に形状を転写して形成されていてもよい。ここで、熱可塑性樹脂としては、例えば、ポリカーボネート樹脂、ＰＭＭＡ（ポリメチルメタクリレート樹脂）などのアクリル樹脂、ポリエチレンテレフタレートなどのポリエステル樹脂、ＭＳ（メチルメタクリレートとスチレンの共重合体）などの非晶性共重合ポリエステル樹脂、ポリスチレン樹脂およびポリ塩化ビニル樹脂などが挙げられる。また、エネルギー線（たとえば紫外線）硬化樹脂に形状を転写する場合は、基材はガラスであってもよい。
【００３４】
光学シート５０は、導光板３０の光出射面３０Ｂ（表面）と対向して設けられ、例えば、拡散板，拡散シート，レンズフィルム，偏光分離シートなどを含んでいる。図１では、これら複数枚の光学シート５０のうちの一枚のみを記載している。このような光学シート５０を設けることにより、導光板３０から斜め方向に出射した光を正面方向に立ち上げることが可能となり、正面輝度をさらに高めることが可能となる。
【００３５】
図２に示したように、蛍光体シート１０、光源２０、導光板３０、反射部材４０および光学シート５０は、いずれも筐体６０により保持されている。筐体６０は、例えば高反射性ポリカーボネート樹脂やポリアミド系樹脂により構成されている。
【００３６】
［発光装置１の作用および効果］
この発光装置１では、光源２０から発した光（例えば青色光）は、光入射面３０Ａから導光板３０へ入射し、導光板３０の内部を進行したのち光出射面３０Ｂから出射する。光出射面３０Ｂから出射した光（青色光）は蛍光体シート１０の第１の蛍光体層１３により波長変換されて白色光となったのち、光学シート５０を通過して外部で観測される。
【００３７】
ここで、光出射面３０Ｂから出射した光（青色光）の一部は、積層構造１１の周縁部１１Ｐを覆う封止層１２に設けられた第２の蛍光体層１５により、白色光に波長変換される。仮に第２の蛍光体層１５を設けない場合、光出射面３０Ｂから出射されて周縁部１１Ｐを覆う封止層１２に照射された光（青色光）は、波長変換されることなく例えば発光領域Ｒ１へ進入する。このため、発光領域Ｒ１と遮光領域Ｒ２との境界に沿って、僅かに青色を呈する光が枠状に観察されることがある。ところが、本実施の形態のように第２の蛍光体層１５を設けることで遮光領域Ｒ２への入射光（青色光）を白色光に波長変換することができるので、上記のような枠状の色むらの発生を抑制することができる。
【００３８】
また、蛍光体シート１０では、第１の蛍光体層１３と、それを挟む一対の透明フィルム１４Ａ，１４Ｂとの積層構造１１における端面１１Ｔおよび周縁部１１Ｐを、封止層１２によって一体に覆うようにしたので、第１の蛍光体層１３への水分浸入が防止される。このため、比較的耐湿性に劣るが発光効率および発光色純度に優れる硫化物蛍光体を第１の蛍光体層１３に適用することができる。よって、この蛍光体シート１０を表示装置に用いれば、発光輝度が高く、かつ、広い色再現範囲を有する優れた表示性能を発揮することができる。なお、第１の蛍光体層１３を挟む一対の透明フィルム１４Ａ，１４Ｂの外縁に、第１の蛍光体層１３からはみ出した余白部分をそれぞれ設け、それらの余白部分同士を融着することで第１の蛍光体層１３を封止する方法も考えられる。しかしながら、その場合には余白部分では波長変換が行われない。本実施の形態では、遮光領域Ｒ２がそのような余白部分の占有面積よりも小さくてすむので、コンパクト性の点で有利である。
【００３９】
＜第２の実施の形態＞
［発光装置２の構成］
図４は、本技術の第２の実施の形態としての発光装置２における要部断面構成を表したものである。この表示装置２では、蛍光体シート１０が封止層１２と、第２の蛍光体層１５との間に光反射層１６を有している。この点を除き、他は上記第１の実施の形態の発光装置１と同様の構成を有する。光反射層１６は、例えば、アルミニウムや銀などの金属材料や白色樹脂などの高反射率の材料により構成される。
【００４０】
［発光装置２の作用効果］
このような発光装置２においても、上記第１の実施の形態の発光装置１と同様の機能を発揮することができる。また、封止層１２の材質によらず、第２の蛍光体層１５での波長変換を高効率で行うことができる。すなわち、より防湿性に優れる材料によって封止層１２を構成しつつ、より光反射性に優れる材料によって光反射層１６を構成することができる。
【００４１】
＜第３の実施の形態＞
図５は、本技術の第３の実施の形態に係る表示装置１０１の外観を表したものである。この表示装置１０１は、発光装置１を備え、例えば薄型テレビジョン装置として用いられるものであり、画像表示のための平板状の本体部１０２をスタンド１０３により支持した構成を有している。なお、表示装置１０１は、スタンド１０３を本体部１０２に取付けた状態で、床，棚または台などの水平面に載置して据置型として用いられるが、スタンド１０３を本体部１０２から取り外した状態で壁掛型として用いることも可能である。
【００４２】
図６は、図５に示した本体部１０２を分解して表したものである。本体部１０２は、例えば、前面側（視聴者側）から、前部外装部材（ベゼル）１１１，パネルモジュール１１２および後部外装部材（リアカバー）１１３をこの順に有している。前部外装部材１１１は、パネルモジュール１１２の前面周縁部を覆う額縁状の部材であり、下方には一対のスピーカー１１４が配置されている。パネルモジュール１１２は前部外装部材１１１に固定され、その背面には電源基板１１５および信号基板１１６が実装されると共に取付金具１１７が固定されている。取付金具１１７は、壁掛けブラケットの取付、基板等の取付およびスタンド１０３の取付のためのものである。後部外装部材１１３は、パネルモジュール１１２の背面および側面を被覆している。
【００４３】
図７は、図６に示したパネルモジュール１１２を分解して表したものである。パネルモジュール１１２は、例えば、前面側（視聴者側）から、前部筐体（トップシャーシ）１２１，液晶パネル１２２，枠状部材（ミドルシャーシ）８０，光学シート５０，導光板３０，反射部材４０，後部筐体（バックシャーシ）１２４，バランサー基板１２５，バランサーカバー１２６およびタイミングコントローラ基板１２７をこの順に有している。
【００４４】
前部筐体１２１は、液晶パネル１２２の前面周縁部を覆う枠状の金属部品である。液晶パネル１２２は、例えば、液晶セル１２２Ａと、ソース基板１２２Ｂと、これらを接続するＣＯＦ（Chip On Film）などの可撓性基板１２２Ｃとを有している。枠状部材１２３は、液晶パネル１２２および光学シート５０を保持する枠状の樹脂部品である。後部筐体１２４は、液晶パネル１２２，中間筐体１２３および発光装置１を収容する、鉄（Ｆｅ）等よりなる金属部品である。バランサー基板１２５は、発光装置１を制御するものであり、図１３に示したように、後部筐体１２４の背面に実装されると共にバランサーカバー１２６により覆われている。タイミングコントローラ基板１２７もまた、後部筐体１２４の背面に実装されている。
【００４５】
この表示装置１０１では、発光装置１からの光が液晶パネル１２２により選択的に透過されることにより、画像表示が行われる。ここでは、第１の実施の形態で説明したように、面内の色の均一性が向上し、発光効率および発光色純度に優れる発光装置１を備えているので、表示装置１０１の表示品質が向上する。
【００４６】
なお、上記実施の形態では、表示装置１０１が第１の実施の形態に係る発光装置１を備えている場合について説明したが、表示装置１０１は、発光装置１に代えて、第１の実施の形態の変形例である発光装置１Ａ、第２の実施の形態に係る発光装置２のいずれかを備えていてもよい。
【００４７】
＜表示装置の適用例＞
以下、上記のような表示装置１０１の電子機器への適用例について説明する。電子機器としては、例えばテレビジョン装置，デジタルカメラ，ノート型パーソナルコンピュータ、携帯電話等の携帯端末装置あるいはビデオカメラ等が挙げられる。言い換えると、上記表示装置は、外部から入力された映像信号あるいは内部で生成した映像信号を、画像あるいは映像として表示するあらゆる分野の電子機器に適用することが可能である。
【００４８】
［適用例１］
図８Ａは、上記実施の形態の表示装置１０１が適用される電子ブックの外観を表したものである。図８Ｂは、上記実施の形態の表示装置１０１が適用される他の電子ブックの外観を表したものである。これらの電子ブックは、いずれも、例えば表示部２１０および非表示部２２０を有しており、この表示部２１０が上記実施の形態の表示装置１０１により構成されている。
【００４９】
［適用例２］
図９は、上記実施の形態の表示装置１０１が適用されるスマートフォンの外観を表したものである。このスマートフォンは、例えば、表示部２３０および非表示部２４０を有しており、この表示部２３０が上記実施の形態の表示装置１０１により構成されている。
【００５０】
［適用例３］
図１０Ａおよび図１０Ｂは、上記実施の形態の表示装置１０１が適用されるデジタルカメラの外観を表したものである。図１０Ａは、そのデジタルカメラをその前方（物体側）から眺めた外観を表し、図１０Ｂは、そのデジタルカメラをその後方（像側）から眺めた外観を表す。このデジタルカメラは、例えば、フラッシュ用の発光部４１０、表示部４２０、メニュースイッチ４３０およびシャッターボタン４４０を有しており、この表示部４２０が上記実施の形態の表示装置１０１により構成されている。
【００５１】
［適用例４］
図１１は、上記実施の形態の表示装置１０１が適用されるノート型パーソナルコンピュータの外観を表したものである。このノート型パーソナルコンピュータは、例えば、本体５１０，文字等の入力操作のためのキーボード５２０および画像を表示する表示部５３０を有しており、この表示部５３０が上記実施の形態の表示装置１０１により構成されている。
【００５２】
［適用例５］
図１２は、上記実施の形態の表示装置１０１が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有している。そして、この表示部６４０が上記実施の形態の表示装置１０１により構成されている。
【００５３】
［適用例６］
図１３Ａおよび図１３Ｂは、上記実施の形態の表示装置１０１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そして、これらのうちのディスプレイ７４０またはサブディスプレイ７５０が、上記実施の形態の表示装置１０１により構成されている。
【００５４】
＜照明装置の適用例＞
図１４および図１５は、上記実施の形態の発光装置１，１Ａ，２が適用される卓上用の照明装置の外観を表したものである。この照明装置は、例えば、基台８４１に設けられた支柱８４２に、照明部８４３を取り付けたものであり、この照明部８４３は、上記第１および第２の実施の形態に係る発光装置１，１Ａ，２，２Ａ，３のいずれかにより構成されている。照明部８４３は、導光板２０を湾曲形状とすることにより、図１４に示した筒状、または図１５に示した曲面状など、任意の形状とすることが可能である。
【００５５】
図１６は、上記実施の形態の発光装置１，１Ａ，２が適用される室内用の照明装置の外観を表したものである。この照明装置は、例えば、上記実施の形態に係る発光装置１，１Ａ，２のいずれかにより構成された照明部８４４を有している。照明部８４４は、建造物の天井８５０Ａに適宜の個数および間隔で配置されている。なお、照明部８４４は、用途に応じて、天井８５０Ａに限らず、壁８５０Ｂまたは床（図示せず）など任意の場所に設置することが可能である。
【００５６】
これらの照明装置では、発光装置１からの光により、照明が行われる。ここでは、第１の実施の形態で説明したように、面内の色の均一性が向上した発光装置１，１Ａ，２を備えているので、照明品質が向上する。
【００５７】
以上、実施の形態を挙げて本開示を説明したが、本開示は上記実施の形態に限定されるものではなく、種々の変形が可能である。例えば、上記実施の形態において説明した各層の材料および厚みなどは限定されるものではなく、他の材料および厚みとしてもよい。また、第１および第２の蛍光体シート１３，１５により青色光を白色光に波長変換する場合を例示して説明したが、これに限定されるものではない。
【００５８】
また、例えば、上記実施の形態では、光源２０がＬＥＤである場合について説明したが、光源２０は半導体レーザ等により構成されていてもよい。
【００５９】
さらに、例えば、上記実施の形態において発光装置１，１Ａ，２および表示装置１０１（テレビジョン装置）の構成を具体的に挙げて説明したが、全ての構成要素を備える必要はなく、また、他の構成要素を備えていてもよい。
【００６０】
また、本技術は以下のような構成を取り得るものである。
（１）
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する蛍光体シート。
（２）
前記封止層と、前記第２の蛍光体層との間に光反射層を有する
上記（１）記載の蛍光体シート。
（３）
前記第１および第２の蛍光体層は、青色光の照射により白色光を発する
上記（１）または（２）に記載の蛍光体シート。
（４）
前記第１の蛍光体層は、硫化物蛍光体を含み、
前記第２の蛍光体層は、ＹＡＧ（イットリウム−アルミニウム−ガーネット）系蛍光体を含む
上記（１）から（３）のいずれか１つに記載の蛍光体シート。
（５）
前記第２の蛍光体層は、前記封止層のうち、前記一対の透明フィルムのいずれか一方を覆う部分のみに設けられている
上記（１）から（４）のいずれか１つに記載の蛍光体シート。
（６）
前記一対の透明フィルムは、防湿性を有する樹脂からなる
上記（１）から（５）のいずれか１つに記載の蛍光体シート。
（７）
前記封止層は、アルミニウムからなる
上記（１）から（６）のいずれか１つに記載の蛍光体シート。
（８）
光源と、
互いに対向する第１および第２の主面と、前記第１の主面と前記第２の主面とを繋ぐと共に前記光源と対向する端面とを有する導光板と、
前記導光板の、前記第１の主面と対向する蛍光体シートと
を備え、
前記蛍光体シートは、
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する
発光装置。
（９）
前記光源は、青色光を発する発光ダイオードを含み、
前記第１および第２の蛍光体層は、前記光源からの青色光の照射により白色光を発する
上記（８）に記載の発光装置。
（１０）
前記導光板の、前記第２の主面と対向する反射部材をさらに備える
上記（８）または（９）に記載の発光装置。
（１１）
液晶パネルと、前記液晶パネルの背面と対向して配置された発光装置とを備え、
前記発光装置は、
光源と、
互いに対向する第１および第２の主面と、前記第１の主面と前記第２の主面とを繋ぐと共に前記光源と対向する端面とを有する導光板と、
前記導光板の、前記第１の主面と対向する蛍光体シートと
を備え、
前記蛍光体シートは、
第１の蛍光体層、および前記第１の蛍光体層の両面とそれぞれ接する一対の透明フィルムを含む積層構造と、
前記積層構造の端面から前記積層構造の周縁部に至るまでを一体に覆う封止層と、
前記封止層のうちの少なくとも前記積層構造の周縁部を覆う部分、をさらに覆う第２の蛍光体層と
を有する
表示装置。
【符号の説明】
【００６１】
１，１Ａ，２…発光装置、１０…蛍光体シート、１１…積層構造、１１Ｐ…周縁部、１２…封止層、１３…第１の蛍光体層、１４Ａ，１４Ｂ…透明フィルム、１５…第２の蛍光体層、１６…光反射層、２０…光源、２１…パッケージ、３０…導光板、３０Ａ…光入射面、３０Ｂ，３０Ｄ…光出射面、４０…反射部材、５０…光学シート、６０…筐体、１０１…表示装置、Ｒ１…発光領域、Ｒ２…遮光領域。
【図１】
2015015105.tif 000003
【図２】
2015015105.tif 000004
【図３】
2015015105.tif 000005
【図４】
2015015105.tif 000006
【図５】
2015015105.tif 000007
【図６】
2015015105.tif 000008
【図７】
2015015105.tif 000009
【図８Ａ】
2015015105.tif 000010
【図８Ｂ】
2015015105.tif 000011
【図９】
2015015105.tif 000012
【図１０Ａ】
2015015105.tif 000013
【図１０Ｂ】
2015015105.tif 000014
【図１１】
2015015105.tif 000015
【図１２】
2015015105.tif 000016
【図１３Ａ】
2015015105.tif 000017
【図１３Ｂ】
2015015105.tif 000018
【図１４】
2015015105.tif 000019
【図１５】
2015015105.tif 000020
【図１６】
2015015105.tif 000021